(57)【要約】【課題】ひらがな、カタカナ・・の文字模様群の選択と縦書き又は横書きの選択と同時に行なえるミシンを提供する。【解決手段】複数の文字模様選択押ボタンスイッチの各々に、ひらがな、カタカナ・・の複数の文字模様群に属する所定の文字を割り当てた模様選択手段と、これら模様群の選択と縦書き又は横書きの選択とを同時に切り替える切換手段を備えることで、各文字模様及び縦書き横書き文字の混合した複数の文字列を容易に選択することができるようにした。【選択図】  図１
2004290434.tif 000002
【特許請求の範囲】
【請求項１】
ひらがな模様群、カタカナ模様群、アルファベット模様群、数字模様群の各文字模様群に属する複数の文字模様の縫いデータを記憶する記憶手段と、
前記文字模様に対して任意の模様を複数選択する模様選択手段と、
前記選択手段で選択された複数の模様の縫いデータを記憶手段から読み出して、縫い針に対して一縫い目毎に布を縦及び横に相対移動してこの複数の模様を連続して形成するミシンにおいて、
前記模様群の選択と、選択された文字の縦書き又は横書きの配列方向の選択とを同時に切り替え設定する入力切替手段と、
複数の文字模様選択押ボタンスイッチを備え、これらスイッチの各々に、ひらがな模様群、カタカナ模様群、アルファベット模様群、数字模様群のうち、二以上の模様群に属する所定の文字を選択するように割り当てられた模様選択手段と、
前記模様選択手段により選択された複数の文字模様を表示する表示手段と、
前記模様選択手段のうち、いずれかの文字模様選択押ボタンスイッチが操作されると、そのスイッチに割り当てられた文字のうち、前記入力切替手段で設定した模様群と配列方向に従った複数の文字の選択が行われ、かつその配列方向に従って表示手段に複数の選択文字が配列表示され、縫製時にその配列方向に従って複数の選択文字が連続的に縫製するようにした制御手段とを備えたことを特徴とするミシンの文字選択装置。
【発明の詳細な説明】
【０００１】
【０００２】
【発明の属する技術分野】
本発明は、多数の文字及び模様を少ないスイッチで容易に選択することができるミシンの文字選択装置に関する。
【０００３】
【従来の技術】
ミシンには多数の文字及び模様に係る縫いデータが記憶された記憶手段を備え、これら模様を簡単に選択することができるように多くの工夫がなされている。
【０００４】
例えば、大型のタッチスイッチをマトリクス状に複数のエリアに分割し、ここにすべての模様を種類毎にページ替え表示して、任意の文字を選択することができるような模様選択装置を備えている。
【０００５】
【特許文献１】
特開昭６２−７２３９０号公報
【０００６】
【発明が解決しようとする課題】
しかしながら、従来の文字選択装置はひらがな模様群、カタカナ模様群、アルファベット模様群、数字模様群の各模様群に属するスイッチが別に構成されていた。また、これら模様群を切り替えるための操作手段と、ひらがな模様群、カタカナ模様群の横書き又は縦書きを切換えるためにの操作手段とが別になっていた。このため、例えばひらがな文字からカタカナに切り替える操作と、切替えたカタカナを横書きから縦書きに変更する操作が別に必要であり、予め各操作手段の機能を習得する必要があり、さらに切替えた後の操作手段がひらがなとカタカナで別になっているので、再度カタカナ操作手段に慣れてからでないと、カタカナ文字の選択操作を開始することができなかった。
【０００７】
本発明は、このような課題を解決するものであり、文字選択手段を複数の文字の模様群に共通する複数の固定スイッチとして構成し、模様群の選択と縦書き又は横書きの選択とを同一の切換手段の操作で行うようにしたので、構成がきわめて単純化され、操作者にとって極めて使いやすいミシンの文字選択装置を提供することを目的としている。
【０００８】
【課題を解決するための手段】
上記目的を達成するために、本発明の請求項１に記載のミシンの文字選択装置は、ひらがな模様群、カタカナ模様群、アルファベット模様群、数字模様群の各文字模様群に属する複数の文字模様の縫いデータを記憶する記憶手段と、前記文字模様に対して任意の模様を複数選択する模様選択手段と、前記選択手段で選択された複数の模様の縫いデータを記憶手段から読み出して、縫い針に対して一縫い目毎に布を縦及び横に相対移動してこの複数の模様を連続して形成するミシンにおいて、前記模様群の選択と、選択された文字の縦書き又は横書きの配列方向の選択とを同時に切り替え設定する入力切替手段と、複数の文字模様選択押ボタンスイッチを備え、これらスイッチの各々に、ひらがな模様群、カタカナ模様群、アルファベット模様群、数字模様群のうち、二以上の模様群に属する所定の文字を選択するように割り当てられた模様選択手段と、前記模様選択手段により選択された複数の文字模様を表示する表示手段と、前記模様選択手段のうち、いずれかの文字模様選択押ボタンスイッチが操作されると、そのスイッチに割り当てられた文字のうち、前記入力切替手段で設定した模様群と配列方向に従った複数の文字の選択が行われ、かつその配列方向に従って表示手段に複数の選択文字が配列表示され、縫製時にその配列方向に従って複数の選択文字が連続的に縫製するようにした制御手段とを備えたものである。
【０００９】
請求項１のミシンの文字選択装置によれば、文字選択手段を複数の文字の模様群に共通する複数の押しボタンスイッチとして構成し、模様群の選択と縦書き又は横書きの選択とを同一の切換手段の操作で行えるようにしたので、操作手段の構成とその操作手段を使用した文字選択操作がきわめて単純化され、操作者にとって非常に使いやすいというすぐれた効果を奏する。
【００１０】
【発明の実施の形態】
以下、図面を参照して本発明に係るミシンの文字選択装置について、実施の形態例を説明する。
【００１１】
ミシンが縫製する模様には、連続模様と単独模様がある。
【００１２】
連続模様には直線縫い、ジグザグ縫い等の実用縫いと、唐草模様のような飾り縫いを含む。連続模様は主に、送り手段が備える送り歯で前方に布送りしながら、必要により針棒を送り歯による送り方向と直交する方向に針振りする針振り手段により、縫製開始後作業者がミシン停止を操作するまで、選択した模様を自動的に何度も繰り返すことにより長く連続して縫製する。したがって、連続模様は一の模様を選択したら続けて他の模様を選択して組み合わせることはしない。
【００１３】
単独模様には、ハートマークや星マークなどのワンポイント模様と、ひらがな、カタカナ、英字、数字、記号などの文字模様がある。単独模様は所望の模様を複数自由に組み合わせることができ、ミシンスタートすると自動的に選択した複数の模様を連続して縫製することができる。
【００１４】
この単独模様の縫製には、送り歯を前後左右に移動する送り手段と針を左右方向に針振りする針振り手段を組み合わせて一個の模様の大きさが数ミリの範囲の単独模様を複数選択した場合にはこれらを連続的に縫製する場合と、布を刺繍枠に装着してＸＹ移動する刺繍縫い手段により刺繍枠に対する縫製範囲に収まるように複数の単独模様を任意の位置にレイアウトした場合にはこれらの模様を連続縫製（連続縫製されるのは複数の単独模様を一色の色糸で縫製する場合であり、多色刺繍では一模様を構成する複数の色パーツ毎に色糸を架け替えるために一の単独模様を形成するのにミシン停止、糸切りを何度も行う）する刺繍縫いとがある。
【００１５】
図１は、本発明に係るミシンの模様選択装置の制御ブロック図である。図中５１は記憶手段としてのＲＯＭであり、このＲＯＭ５１は、前記選択模様の縫いデータや縫い模様などの形象を表示するための表示データ、及び縫いデータを選択するためのスイッチ操作に関連してそのスイッチのコードを読み出すためのキーコードテーブルなどのデータを記憶し、さらに後述する制御手段として、模様選択により操作されたキーを読み出して入力された選択模様を決定し、さらにこの選択模様を編集削除して後述するＲＡＭ５６に一時記憶するための制御プログラム、及び前記選択模様に従い縫いデータを読み出してミシンが縫い目形成するための制御プログラムを記憶する。
【００１６】
操作パネル５４（図２）に配置した複数の模様選択操作スイッチ５５を含む操作スイッチ１〜２７は押圧操作時にオン（オフ）され開放時にオフ（オン）される固定の押しボタンスイッチで構成され、それら複数のスイッチを含むキーマトリクス５３からの模様選択信号があった場合には、ＣＰＵ５２は、前記制御プログラムに基づいて選択された模様をＲＡＭ５６に一時記憶する（模様選択手段）。
【００１７】
スタートストップスイッチ５７の操作により縫製開始信号がＣＰＵ５２に発せられると、選択模様に基づいてＲＯＭから縫いデータが読み出され、針及び糸輪捕捉器を含む図示しない縫い目形成手段に対してミシンモータ５８、針振りモータ５９を作動して選択模様が形成される。また、ミシンに着脱可能な刺繍装置が装着されている場合には刺繍縫い用のＸＹモータ６０が駆動されて、選択された単独模様が布に形成される。
【００１８】
６１は表示手段としての表示装置であり、選択模様６１ａ、押え６１、選択模様の位置を示すカーソル６１ｃ、止め縫いマーク６１ｄの各形象をＲＯＭに記憶された表示データに基づき表示する表示手段としての表示装置、６２は模様の形象、縫いデータを記憶した外部記憶手段である。
【００１９】
前記図２の操作パネルの構成は次のとおりである。
【００２０】
操作パネルに配置された各々のスイッチに付された符号（１〜２７）は後述するキーコードとしてのキー番号を兼ねている。
【００２１】
１（キー番号１）乃至１２（キー番号１２）は１２個のスイッチを４行３列に配置して、ひらがな、カタカナ、英字、及び数字、記号を入力するための単独模様スイッチ群であり、または文字模様選択押ボタンスイッチを備えた文字模様スイッチ群である。各スイッチ１〜１２には、それぞれのスイッチが入力可能な文字として、後述する入力モード（ひらがなよこモード、ひらがなたてモード、カタカナヨコモード、カタカナタテモード、アルファベット大文字モード、アルファベット小文字モード、数字ヨコモード、数字タテモード）（図３参照）に対して、一モードに対応する一部スイッチを除き、少なくとも二以上のモードに対応しており、前記各スイッチ１〜１２にはそれぞれのモードに属する所定数の文字が割り当てられ、そのスイッチの押圧部にはその割り当てられた文字の全部又は一部の代表文字が表示されている。
【００２２】
例えばスイッチ１の押圧部には、図２に示すように、「あ」「＠」「１」が表示されている。このうち「あ」は、「ひらがなキー」としてひらがなのうち５０音順の代表一文字又は図２に示すように他のキーには複数の記号が表示されたものであり、「あいう・・」と、後述の図１３のテーブルを参照すると「あ」に関連する１０文字のひらがなが割り当てられていることを表す。次に「＠」は、「アルファベットキー」としてアルファベット又は記号について１文字乃至４文字が図２に示すように各スイッチ１〜１２に割り当てられていることを表す。次に「１」は「数字キー」として数字が一文字又は複数の記号が図２に示すように各スイッチ１〜１２に割り当てられていることを表示している。スイッチ２には同様にか行の「か」「ＡＢＣ」「２」が表示され、同様にスイッチ３〜１２には図２に示すように表示してある。
【００２３】
そして、後述するように「ひらがな（カタカナ）よこモード」のとき、スイッチ１〜１２はひらがな（カタカナ）の選択スイッチとなり、スイッチ１〜１２に属するスイッチのうち、同一のスイッチを連続して操作した場合、例えばスイッチ１を連続して複数回操作すると、操作されるたびにあ行に属する「あ」「い」「う」・・・・「あ」「い」「う」・・・と、前回選択した文字模様（例えば「あ」（ア）文字模様）に代えて次の文字模様（例えば「い」（イ）文字模様）が更新選択されるように順次選択模様が変化し、その更新選択のたびに文字模様が表示装置に順次更新して表示される。これは他のスイッチ２〜１２をひらがな（カタカナ）モードで連続操作した場合でも同様である。
【００２４】
さらに後述する入力モードが「アルファベット大文字モード」のときはスイッチ１〜１２はアルファベットキーとなり、同一のスイッチを連続操作すると、操作されたキーに対応して割り当てられたアルファベット文字が順次更新出力される。例えばスイッチ２を連続操作したときは「Ａ」「Ｂ」「Ｃ」が順次更新選択され、表示装置も同様に「Ａ」「Ｂ」「Ｃ」を順次更新表示する。
【００２５】
また、後述する入力モードが「数字ヨコモード」のときはスイッチ１〜１２は数字キーとなる。各キーに割り当てられた数字は一個であるため、同一または異なる数字スイッチを連続操作すると、操作されたキーに対応して割り当てられた数字が順次桁を増加させて出力される。
１３（キー番号１３）、１４（キー番号１４）、１５（キー番号１５）は単独模様スイッチ群であり、またはワンポイント模様選択押ボタンスイッチを備えたワンポイント模様スイッチ群である。この各スイッチ１３〜１５は３個のスイッチで構成され、前記文字模様スイッチ群を構成する１２個のスイッチを３列の配置したのに対して、ワンポイント模様スイッチ群の各スイッチも文字模様スイッチに隣接して、同列、同間隔に並べて配置してある。これらワンポイント模様スイッチ１３〜１５はそれぞれ３模様が入力できるように設定され、それぞれのスイッチ１３〜１５の押圧部には入力可能な模様として、スイッチ１３にはハートマーク、八分音符、十六分音符の形象を表示し、同スイッチ１４にはト音記号、チューリップ、星の形象を表示し、同スイッチ１５にはアヒル、犬、ワニの形象が表示してある。そして、スイッチ１３〜１５に属するスイッチのうち、同一のスイッチ（例えばスイッチ１３）を連続操作したときは、前記ひらがな入力と同様に、そのスイッチに割り当てられたワンポイント模様（「ハートマーク」「八分音符」「十六分音符」）が順次更新選択され、表示装置も同様に（「ハートマーク」「八分音符」「十六分音符」）を順次更新表示される。
【００２６】
１６（キー番号１６）乃至２１（キー番号２１）は直線模様やジグザグ模様としての実用模様や飾り縫い模様からなる複数の連続模様を選択するために６個の連続模様選択押ボタンスイッチを備えた連続模様スイッチ群である。この各連続模様スイッチ１６〜２１は、前記文字模様スイッチ群を構成する１２個のスイッチが３列に配置され及び前記ワンポイント模様スイッチが同じく３列に配置されているのに対して、これらスイッチに隣接して同じ３列に、同間隔で並べて６個配置してある。
【００２７】
これら連続模様スイッチ１６〜２１はそれぞれ３模様が入力できるように設定され、それぞれのスイッチ１６〜２１押圧部には入力可能な模様の形象が表示されている。このうち前記連続模様スイッチ１６には左基線直線模様、中基線直線模様、伸縮直線模様の３種の直線模様の形象を表示し、同スイッチ１７，１８には各３種のジグザグ模様が表示されている。
【００２８】
また、前記連続模様スイッチ１９には左右の側縫いと前後に閂止め縫いからなる周知のボタン穴かがり縫いを単独で縫製するように、組み合わせることなく単独で選択されるものであり、眠りボタン穴かがり縫い模様１種と、鳩目ボタン穴かがり縫い２種の模様が選択可能に表示されている。また前記連続模様スイッチ２０、２１には飾り縫い模様として繰り返し縫製される形象が３種づつ、計６種表示してある。
【００２９】
そして、スイッチ１６〜２１に属するスイッチのうち、同一のスイッチ（例えばスイッチ１６）を連続操作したときは、前記ひらがな入力と同様に、そのスイッチに割り当てられた連続模様（「左基線直線模様」「中基線直線模様」「伸縮直線模様」）が順次更新選択され、表示装置も同様に（「左基線直線模様」「中基線直線模様」「伸縮直線模様」）を順次更新表示される。
【００３０】
スイッチ２２（キー番号２２）は、濁点キーであり、このスイッチを連続操作すると直前に選択模様が文字の場合には、その文字に対する濁点文字または半濁点文字に変換して更新選択され、表示装置も同様に濁点文字または半濁点文字に更新して表示される。
【００３１】
スイッチ２３（キー番号２３）は前記文字模様スイッチ１〜１２の入力切替キーであり、ＲＯＭ５１に記憶された入力モードテーブル（図３）を順次読み出すことで、前記文字模様スイッチ１〜１２を操作したときに入力される文字が、ひらがなよこモード、ひらがなたてモード、カタカナヨコモード、カタカナタテモード、アルファベット大文字モード、アルファベット小文字モード、数字ヨコモード、数字タテモードのいずれかとする入力モードの切替機能を奏する。
【００３２】
スイッチ２４（キー番号２４）はカーソル右移動（ＮＯ）キーであり、スイッチ２５（キー番号２５）はカーソル左移動（ＹＥＳ）キーである。
【００３３】
スイッチ２６（キー番号２６）は単独模様を選択したときはカーソル位置にある選択模様を消去し、連続模様を選択したときはその連続模様を消去するクリアキーである。この時予めＲＯＭに格納した定数として例えばＫ＝４秒のとき、タイマーで測定して（Ｓ１１０）、クリアキーをＴ＝４秒以上押しつづけたときは（Ｓ１１１）、それまで選択した複数の模様は一度に全消去される（Ｓ１１４）。またクリアキーをＴ＝４秒未満押し続けた場合はカーソルが示す位置を読み出して（Ｓ１１２）、その位置に表示された一の模様を消去してカーソルを一文字分戻す（Ｓ１１３）。
【００３４】
スイッチ２７（キー番号２７）は選択模様の縫い始めと縫い終わりに止め縫いを行うための設定をする止め縫いキーである。
【００３５】
２８は送りピッチ設定手段であり、送りピッチ設定用のスライドスイッチと設定したピッチを表示するピッチ表示部を備え、２９は針振り量手段であり、針振り量を設定するためのスライドスイッチと設定された振り幅を表示する振り幅表示部を備えている。
【００３６】
次に、上記操作パネル５４が備える各スイッチを操作することにより模様選択が行われる制御の詳細を図４〜図１９に基づいて説明する。
【００３７】
図４はミシン電源オン時に開始されるフローチャートであり、初期値設定（Ｓ１）により、管理テーブル（図５）は、入力モードとして「ひらがなよこ」、押回数「１」、組合せ数「０」、カーソル位置「１」、止め縫いモード「０」が設定され、入力キー番号テーブル（図６）はキー番号１及びキー番号２にそれぞれ連続模様の左基線直線模様を入力するスイッチ１６のキー番号１６が入力され、組み合わせテーブル（図７）は組み合わせ模様の１番に左基線直線模様のコード００１が入力される。
【００３８】
表示装置に上記初期値で、組合せ模様１番に記憶された直線模様の表示、またはその後のスイッチ操作により更新された選択模様が入力画面に表示される（Ｓ２）。即ち、図８において組合せテーブルの第１番目の模様が連続模様か単独模様かを判別し（Ｓ２０）、連続模様のときはその模様の形象表示６１ａ（図２）と、その模様の押え６１ｂ、及び管理テーブルから止め縫いマーク情報が読み出され止め縫いマーク６１ｄが表示される（Ｓ２１）。一方単独模様の場合には組合せテーブルの各組み合わせ番号ごとに入力されたすべての既選択模様と、管理テーブルからカーソル位置と入力モードを読み出してすべての既選択模様とカーソルと入力モードを表示画面に表示する（Ｓ２２）。
【００３９】
次に、操作パネル５４のスイッチ操作の有無を監視し（Ｓ３）、操作されたキーが止め縫いキー２７の場合には（Ｓ４）、止め縫いモードの設定が行われる（Ｓ５）。図９において、管理テーブル（図５）に記憶された止め縫いモードを「０」又は「１」に反転して記憶する。ここで止め縫いモード「０」は止め縫いなし、「１」は止め縫い有りのフラグになる。
【００４０】
次に上記操作されたキーが止め縫いキー２７以外の場合にはその入力キーが判別され、例えば連続模様縫いスイッチ群の直線縫いのキー１６がオンされたとすると、前回オンされ入力キーテーブル（図６）のキー番号１に入力されたキー番号をキー番号２に移動して、今回入力されたキー番号１６をキー番号１に入力する。
【００４１】
ここで今回入力されたキー番号は連続模様スイッチ群１６であり（Ｓ７）、前回操作キーも初期値１６で連続模様スイッチ群であるから（Ｓ８）、連続模様の模様選択が行われる（Ｓ９）。
【００４２】
なお、今回入力されたキー番号は連続模様スイッチ群１６であり（Ｓ７）、前回操作キーが単独模様スイッチ群であった場合には、連続模様縫い判別が「Ｎ」となり（Ｓ８）、組合せテーブル（図７）に格納されている単独模様を消去して新たに選択された連続模様を格納することになる。しかしながら、単独模様は組合せ模様テーブルに複数格納されている場合があり、例えば誤って今回連続模様スイッチを操作した場合に、いきなりこれら複数の単独模様を消去すると、再度複数の単独模様を選択するために多くの作業を行わなければならず、作業者に大きな負担を掛けることになる。これを回避するために、単独模様を消去する前に、選択した単独模様を消去しても良いかを作業者に確認するメッセージが表示され、ＹＥＳ／ＮＯで指示できるようにした（Ｓ１０）。ＹＥＳの場合には左移動キー２５（連続模様のスイッチ１６〜２１のいずれかを再度押してもよい。この操作をしても直ちに連続模様の選択が行われず、再度連続模様が操作されたときにその押されたキーの連続模様の選択を有効にすることも可能）を操作すると（Ｓ１１）、組合せテーブル（図７）をクリアし、管理テーブル（図５）をＳ１のように初期化して、連続模様の選択を開始する（Ｓ９）。
【００４３】
一方、作業者が誤って今回連続模様スイッチを操作した場合には、ＮＯを入力するために右移動キー２４（単独模様のスイッチ１〜１５のいずれかを再度押してもよい。この操作をしても直ちに単独模様の選択が行われず、再度単独模様が操作されたときにその操作されたキーの単独模様の選択を有効にすることも可能）を操作すると（Ｓ１３）、入力キー番号テーブルのキー番号２をキー番号１に書き換えて、誤操作を消去し、前回キーを操作したときの模様選択画面に戻して、再度キー入力を可能とする（Ｓ１４）。
【００４４】
次に、前記連続模様の模様選択が行われると（Ｓ９）、図１０において、前回と今回の操作されたキーが同一のキーの連続操作であるかを判別し（Ｓ４１）、両者のキーが１６で同一であるため３進の押回数（管理テーブル）に「１」が加算され２となる。同一キーが連続操作されると、３進押回数カウンターにより、１，２，３，１，・・と押回数が更新される。３進カウンタとしたのは図２に示すように、前期連続模様縫いスイッチ群の各キーには３種の模様を連続操作で選択可能とすることに対応している。
【００４５】
もし、今回操作されたキーが連続模様縫いスイッチ群の他のスイッチ（例えばキー１７）であれば、押回数は「１」に設定される（Ｓ４３）。次に前記キー番号１に入力されたキー１６と押回数２とを読み出して、選択された連続模様縫いを連続模様テーブル（図示せず）から決定する。この場合は図２でキー１６に表示された３個の直線模様のうち２番目の前記「中基線直線模様」を読み出して（Ｓ４４）、組合せテーブルの組合せ１に格納し（Ｓ４５）、入力画面表示に戻る（Ｓ２）。画面には図８の前記制御に従って「中基線直線模様」が表示される。
【００４６】
ここで、ミシンのスタートスイッチ５７がオンされると、管理テーブルの止め縫いモードを読み出して、止め縫いのモード１の場合には、縫い始めに止め縫いデータをＲＯＭ５１から読み出してミシンを駆動して止め縫いを行い、次に組合せテーブル１に格納した「中基線直線模様」の縫いデータを読み出して中基線直線模様を縫製開始する。作業者が再度スタートストップスイッチ５７を操作すると終わり止め縫いの縫いデータを読み出して終わり止め縫いを行い、終了すると自動糸切り装置を作動して糸切りしてミシン停止する。
【００４７】
次に作業者が、操作パネル５４のキーから、単独模様スイッチ群の文字模様スイッチ群のキー１が操作されたとすると、これを判別して、前記入力キー番号テーブル（図６）のキー番号２に前回操作キー１６を格納し、キー番号１にキー１が格納され更新される（Ｓ６）。キー番号１に単独模様のキー１が格納されるので、今回操作キーは連続模様かの判断はＮとなり（Ｓ７）、キー番号２に連続模様のキー１６が格納されたので前回操作キーは単独模様かの判断はＮとなり（Ｓ１５）、管理テーブル及び組合せテーブルが前記Ｓ１の初期状態にされ（Ｓ１６）、次のように単独模様の模様選択が行われる（Ｓ１７）。前回入力キーが連続模様の場合には選択可能な模様が常に一模様であり、単独模様のように複数の模様を選択することがないので、今回入力された模様が単独模様の場合には、上記Ｓ１０で行った前回選択した模様を消去するメッセージを行うことなく直ちに消去するようにした。もし、誤まって操作された場合でも、再度連続模様を選択することは作業者にとって苦痛にならないからである。しかしながら、誤まった操作によりいきなり前回選択した連続模様が消去されると作業者が次に何を操作すべきか迷うことも考えられるので、いきなり前回操作キーを消去せずに、上記Ｓ１０で行った前回選択した模様を消去するメッセージを表示して、作業者によるＹＥＳ（Ｓ１１，１２）またはＮＯ（Ｓ１３、Ｓ１４）の入力操作を確認してから消去するようにしても良い。
【００４８】
次に、前記単独模様の模様選択が行われると（Ｓ１１）、  図１１において、単独模様スイッチ群として、文字模様キー１〜１２またはワンポイント模様キー１３〜１５が操作されたことを判別して（Ｓ５０）、前回操作キーと今回操作キーによる同一キー判別を行う（Ｓ５１）。入力キー番号テーブルにおいて今回操作キー番号１にはキー１が格納され、前回操作キー番号２がキー１６であるから、キーが相違するため新たな文字模様キー１が操作されたと判断し、管理テーブルの連続押回数としての押回数を１とし（Ｓ５３）、組合せ数とカーソル位置にそれぞれ１を加算する（Ｓ５４）。もし、ここで前回操作キーと今回操作キーとが同一の場合には押回数に１を加算する（Ｓ５２）。このとき図１２に示すように、今回操作キー番号１のキーと前記管理テーブルの入力モードによって（Ｓ７０）、Ｘ進カウンタが相違する。
【００４９】
操作スイッチが、ワンポイント模様スイッチ１３〜１５の場合には（Ｓ７１）、各キーにはそれぞれ３個のワンポイント模様が割り当てられている。即ちスイッチ１３にはハートマーク、八分音符、十六分音符が割り当てられ、同スイッチ１４にはト音記号、チューリップ、星が割り当てられ、同スイッチ１５にはアヒル、犬、ワニ象が割り当てられている。このためＸ＝３の３進カウンタとなり（Ｓ７２）、押回数が１加算されるたびに１、２、３、１、・・が格納される（Ｓ７３）。
【００５０】
次に操作キー番号１が文字模様選択スイッチ１〜１２の場合であって、入力モードがひらがな（かたかな）のたてよこモードのときは（Ｓ７４）、各キー番号により例えばキーが２、３、５、６、７、９のときはＸ＝５の５進カウンター、同４のときは６進カウンター、同８のときは８進カウンター、同１０のときは９進カウンター、同１のときは１０進カウンターに設定される（Ｓ７５）。図１３はひらがな（カタカナ）よこモード時の各キー１〜１２をそれぞれ連続操作したときに更新選択されるキー番号とひらがな（カタカナ）文字の対照表を例示したものであり、例えばキー１のあ行は大文字のあ行５文字と小文字のあ行５文字の計１０文字を更新選択可能であり、従ってキー１のあ行のＸ進カウンターは前記のように１０進に設定されることを表す。他のキーも同様である。押回数が１加算されるたびに１、２、・・Ｘ、１、２・・が格納される（Ｓ７３）。
【００５１】
なお、ひらがな（カタカナ）たてモード時に対応するキー番号とひらがな（カタカナ）文字の対照表には、各キーに対応して前記よこモードと同一の文字が９０度回転した縦むきに格納されている。
【００５２】
また、入力モードがアルファベットの場合（Ｓ７６）は、各キー番号により例えばキーが２、３、５、４、５、６、８のときはＸ＝７の７進カウンター、同７，９のときは９進カウンター、同１のときは１０進カウンターに設定される（Ｓ７７）。押回数が１加算されるたびに１、２、・・Ｘ、１、２・・が格納される（Ｓ７３）。アルファベットの場合のキー番号との対照表は省略する。
【００５３】
また、入力モードが数字の場合は（Ｓ７８）は、各キー番号いずれも一の数字に対応しているのでＸ進カウンタは不要となり、連続して同じキー（例えばキー１）を操作すると、操作回数が連続２回の場合は２桁の「１１」、同３回の場合は３桁の「１１１」が入力される。従って、連続操作がされると、管理テーブルの組合せ数とカーソル位置に「１」が加算される（Ｓ７９）。
【００５４】
このように単独模様スイッチ群に属するキー操作に対応した管理テーブルが更新されると、次に管理テーブルから、入力モードのデータ、入力キー番号１のキー番号データと、押回数データ、をそれぞれ読み込み、これらデータに基づき現在選択されている単独模様を前記キー番号との対照表のテーブルから読み出す（Ｓ５５）。
【００５５】
例えば、後述する入力切換キー２３を操作して入力モードを「ひらがなよこ」とし、キー番号「２」を操作すると入力キー番号１が「２」となり、キー番号「２」を２回連続操作して押回数「２」とすると、図１３を参照して、選択文字「き」（横書き）と判別される（Ｓ５５）。
【００５６】
このようにして、判別した選択模様を、組合せ数は前記Ｓ５４で初期値０に１加算されて「１」であるから、これを読み込んで（Ｓ５６）、組合せ模様テーブルの１番に選択文字「き」（横書き）を格納する（Ｓ５７）。そして入力画面表示に戻る（Ｓ２）。
【００５７】
表示装置は前記模様選択キーの操作により更新された複数の選択模様が入力画面に表示される。即ち、図８において組合せテーブルに格納された第１番目の模様が連続模様か単独模様かを判別し（Ｓ２０）、単独模様であるから、組合せテーブルの第１番目から順次に格納された複数の文字及びワンポイント模様の混合した模様が順次読み出され、現在は組合せテーブルの第１番目のみ「き」（横書き）が格納されているので、これを読み込んで表示し、さらにカーソル位置は前記Ｓ５４で初期値１に１加算されているので２の位置に表示される。単独模様用の押え足の表示と、止め縫いマークの表示は省略されている（図１４）（Ｓ２２）。
【００５８】
また、同様に後述する入力切換キー２３を操作して「カタカナタテ」モードとし、キー番号「４」を操作すると入力キー番号１にキー番号「４」が格納される。キー番号「４」を３回連続操作して押回数「３」とすれば、選択文字が「ツ」（縦書き）と判断される（Ｓ５５）。
【００５９】
このようにして、判別した選択模様を、前記組合せ数１に１加算されて「２」とし（Ｓ５６）これに対応する、組合せ模様テーブルの組合せ番号２に「ツ」（縦書き）を格納する（Ｓ５７）。そして入力画面表示に戻る（Ｓ２）。
【００６０】
表示装置は組合せテーブルの第１〜２番目の各々の模様の形象表示として「き：横書き」「ツ：縦書き」を表示し、カーソル位置データは１が加算されて３であるから、３文字目の位置にカーソル表示する（図１５）（Ｓ２２）。
【００６１】
また、同様に後述する入力切換キー２３を操作せず前記「カタカナタテ」モードの状態で、ワンポイント模様のキー番号「１４」を操作すると入力キー番号１がキー番号「１４」となり、キー１４を２回連続操作して押回数「２」を読み込む。
【００６２】
選択模様の判別において、キー番号がワンポイント模様（１３〜１５）の場合には入力モードの判別は行わず、キー番号と押回数のみで選択されたワンポイント模様を判別する制御プログラム（ＲＯＭに格納）を実行して、「ハートマーク」と判断される（Ｓ５５）。
【００６３】
このようにして、判別した選択模様を、前記組合せ数２にさらに１加算されて「３」とし（Ｓ５６）、これに対応する、組合せ模様テーブルの組合せ番号３に「ハートマーク」を格納する（Ｓ５７）。そして入力画面表示に戻る（Ｓ２）。
【００６４】
表示装置は組合せテーブルの第１〜３番目の各々の模様の形象表示として「き：横書き」「ツ：縦書き」「ハートマーク」を表示し、カーソル位置データは１が加算されて４であるから、４文字目の位置にカーソル表示する（図１６）（Ｓ２２）。
【００６５】
また、同様に後述する入力切換キー２３を操作して「アルファベット大文字」モードの状態とし、キー番号「３」を操作すると入力キー番号１がキー番号「３」となり、キー３を２回連続操作して押回数「２」とすれば、選択文字が「Ｅ」（大文字）と判断される（Ｓ５５）。
【００６６】
このようにして、判別した選択模様を、前記組合せ数３にさらに１加算されて「４」とし（Ｓ５６）、これに対応する、組合せ模様テーブルの組合せ番号４に「Ｅ」（大文字）を格納する（Ｓ５７）。そして入力画面表示に戻る（Ｓ２）。
【００６７】
表示装置は組合せテーブルの第１〜４番目の各々の模様の形象表示として「き：横書き」「ツ：縦書き」「ハートマーク」「Ｅ」（大文字）を表示し、前記カーソル位置データ４に１が加算されて５であるから、５文字目の位置にカーソル表示する（図１７）（Ｓ２２）。
【００６８】
以上のように単独模様スイッチ群に属する文字模様キー及びワンポイントキーを跨ぐ複数の異なるキー操作あった場合には、操作された順に組合せテーブルに文字及びワンポイント模様が混合して、入力モードにしたがって縦文字または横文字が格納され、さらに文字模様キー又はワンポイントキーに属するキーのうち同一のキーが連続操作されるとそのキーに関連する他の模様が組合せテーブルに書き換えられる更新選択がなされることにより、作業者は少数のキーにより所望の文字とワンポイント模様が混在する組合せ縫いを容易に選択することができ、さらにこれら選択した模様を選択した順に文字とワンポイント模様が混在する複数の模様を、入力モードにしたがって縦文字または横文字が表示装置に直ちに表示して、次のキー操作に備えることができる。
【００６９】
次に、前記単独模様の模様選択が行われた場合に、今回操作されたキーを入力キー番号テーブルから読み出したキーが図２において、文字模様キー及びワンポイント模様キー以外の機能キーとしてキー番号２２〜２６の場合には、これを判別して（Ｓ５０）、次のように各機能を実行する。
【００７０】
即ち、今回操作されたキーが入力切替キー２３のときは（Ｓ５８）、図１８において、表示装置に８つのモードのうち、図５の管理テーブルの入力モードに格納された現在の入力モードをハーフトーンで表示したモード選択画面（図１９）を表示し（Ｓ９０）、次に続いて再度入力切替キー２３が操作されると（Ｓ９１、Ｓ９２）、連続操作されるたびに、図３に示す８種類の入力モードを、８進カウンタで１ずつ加算して次の入力モードを順次決定し（Ｓ９３）、該当する入力モードを図５の管理テーブルの入力モードに順次更新し、再度表示装置に更新された入力モードを表示する（Ｓ９４）。
【００７１】
次に、今回操作されたキーが移動キーのときは（Ｓ５９）、右方向移動キー２４にあっては図２０に示すように、カーソル位置に格納された位置データに１を加算して更新し（Ｓ１００）、この更新した位置（右方向に）にカーソルを移動表示する（Ｓ１０１）。また、左方向移動キー２５にあっては図２１に示すように、カーソル位置に格納された位置データから１を減算して更新し（Ｓ１０２）、この更新した位置（左方向に）カーソルを移動表示する（Ｓ１０３）。
【００７２】
次に、今回操作されたキーがクリアキー２６のときは（Ｓ６０）、図２２に示すように、クリアキー２６が継続して押圧操作される時間としてのオン時間を測定し（Ｓ１１０）、所定時間（例えば４秒）と比較して（Ｓ１１１）、押圧時間が短い場合には、カーソル位置を管理テーブルから読み出して（Ｓ１１２）、該当する組合せも模様を消去すると共に、そのカーソル位置よりも後方（右側）にある選択模様を順次左方に移動する処理を行う（Ｓ１１３）。また、押圧時間が所定時間よりも長い場合には、選択模様を全部消去するために組合せテーブルに格納された模様を消去し、管理テーブルを初期化する（Ｓ１１４）。このとき、消去前に「組合せ模様をすべて消去します」とのメッセージを表示して、ＹＥＳの操作があったときのみ消去してもよい。
【００７３】
次に、今回操作されたキーが濁点キー２２のときは（Ｓ６１）、図２３に示すように、カーソル位置を管理テーブルから読み出して（Ｓ１２０）、組合せテーブルに格納された該当文字模様を読み出す（Ｓ１２０）。この読み出した文字模様が濁点可能かどうかを、濁点可能文字一覧テーブルに格納された文字模様とこの読み出した文字模様が一致するかを判別して、一致した場合には濁点可能として（Ｓ１２１）、オン操作されるたびに濁点文字模様または半濁点文字模様に代えて組合せテーブルに更新格納する。
【００７４】
ここで、ミシンのスタートスイッチ５７がオンされると、、管理テーブルの止め縫いモードを読み出して、止め縫いのモード１の場合には、止め縫いデータをＲＯＭ５１から読み出してミシンを駆動して止め縫いを行う。その後にこの組合せテーブル１に格納された文字模様（入力モードに従った縦書き又は横書き）の縫いデータまたはワンポイント模様の縫いデータをＲＯＭから読み出して、文字模様またはワンポイント模様を縫製し、その後組合せテーブルの第２番以降に格納された単独模様を同様に順次連続して縫製する。組合せテーブルに格納された最後の模様の縫製が終了すると、終わり止め縫いの縫いデータを読み出して終わり止め縫いを行い、終了すると自動糸切り装置を作動して糸切りしてミシン停止する。この単独模様を縫製するミシンはミシンの送り歯と針振りによる模様縫いにおいても、刺繍縫い用のＸＹの送り装置による刺繍縫においても同様である。
【００７５】
なお、上記実施形態は上記のものに限定されることなく種々の変形が可能である。
【００７６】
例えば、上記文字模様スイッチ群に属する１２個のスイッチを４行３列に配置して、単独模様スイッチ群、連続模様スイッチ群をそれぞれ文字模様スイッチ群と同じ３列にして上方に隣接配置した。これに限らず、単独模様スイッチ群、連続模様スイッチ群を２列、或いは４列のように異なる配列で隣接配置してもよい。
【００７７】
さらに単独模様スイッチ群、連続模様スイッチ群をそれぞれ文字模様スイッチ群の下方に配置したり、あるいは左方又は右方に隣接配置することも可能である。この場合は、単独模様スイッチ群、連続模様スイッチ群をそれぞれ文字模様スイッチ群と同じ４行にして配置すると見栄えがよいし、３行または５行のように略同一の行数にしてもよい。あるいは前記のように上下に隣接配置したときは略同一の列数にすることも可能である。さらに、文字模様スイッチ群に属するスイッチ数を１２個とし、単独模様スイッチ群のスイッチ数を３個とし、連続模様スイッチ群に属するスイッチを６個としたが、これに限定せずスイッチ数を任意に増加又は減少することも可能である。この場合、特に文字模様スイッチ群に属するスイッチの縦横の配列数を任意に配置することも可能である。さらに、各スイッチの押圧部の大きさや形状、色をスイッチ群毎に変更したり、各スイッチの配置間隔を任意にしてもよい。
【００７８】
さらに、文字模様スイッチ群、単独模様スイッチ群、及び連続模様スイッチ群に属するスイッチに対して、同一のスイッチを連続して操作したときに更新選択される模様の数や種類も、任意に採用することが可能である。この場合は、各スイッチに設定した模様数に応じたＸ進の押回数カウンターが操作キーに応じて自動的に設定することが必要である。
【００７９】
【発明の効果】
以上説明したように、本発明のミシンの文字選択装置は、文字選択手段を複数の文字の模様群に共通する複数の押しボタンスイッチとして構成し、模様群の選択と縦書き又は横書きの選択とを切換手段の操作で同時に行えるようにしたので、各文字模様及び縦書き又は横書きの混合した複数の文字列を容易に選択することができると共に、操作手段の構成とその操作手段を使用した文字選択操作がきわめて単純化され、操作者にとって非常に使いやすいというすぐれた効果を奏することができる。
【図面の簡単な説明】
【図１】本発明装置のミシンの模様選択装置の制御ブロック図
【図２】本発明装置のミシンの操作パネルの平面図
【図３】入力モードテーブル
【図４】模様選択開始時のフローチャート
【図５】管理テーブル
【図６】入力キー番号テーブル
【図７】組合せテーブル
【図８】模様選択操作に伴う入力画面表示を表示するフローチャート
【図９】止め縫いキーが操作されたときの止め縫いモード設定操作時のフローチャート
【図１０】連続模様の模様選択操作を表すフローチャート
【図１１】単独模様の模様選択操作を表すフローチャート
【図１２】押回数カウンタのフローチャート
【図１３】単独模様における入力モードに対応したキー番号と単独模様の対照表の一例
【図１４】１文字選択時の表示画面の例
【図１５】２文字選択時の表示画面の例
【図１６】３文字選択時の表示画面の例
【図１７】４文字選択時の表示画面の例
【図１８】入力切替キー操作時のフローチャート
【図１９】入力切替キー操作時の表示画面
【図２０】カーソル右方向移動キー操作時のフローチャート
【図２１】カーソル左方向移動キー操作時のフローチャート
【図２２】クリアキー操作時のフローチャート
【図２３】濁点、半濁点キー操作時のフローチャート
【符号の説明】
１〜１２  単独模様スイッチ群、文字模様スイッチ群
１３、１４、１５  単独模様スイッチ群、ワンポイント模様スイッチ群
１６〜２１  連続模様スイッチ群
２２  濁点キー
２３  入力切替キー
２４  カーソル右移動キー
２５  カーソル左移動キー
２６  クリアーキー
２７  止め縫いキー
２８  送りピッチを設定手段
２９  針振り量設定手段
５１  ＲＯＭ（記憶手段）
５２  ＣＰＵ
５３  キーマトリクス
５４  操作パネル
５５  模様選択操作スイッチ
５６  ＲＡＭ
５７  スタートストップスイッチ
５８  ミシンモータ
５９  針振りモータ
６０  刺繍縫い用のＸＹモータ
６１  表示装置（表示手段）
６２  外部記憶手段
【図１】
2004290434.tif 000003
【図２】
2004290434.tif 000004
【図３】
2004290434.tif 000005
【図４】
2004290434.tif 000006
【図５】
2004290434.tif 000007
【図６】
2004290434.tif 000008
【図７】
2004290434.tif 000009
【図８】
2004290434.tif 000010
【図９】
2004290434.tif 000011
【図１０】
2004290434.tif 000012
【図１１】
2004290434.tif 000013
【図１２】
2004290434.tif 000014
【図１３】
2004290434.tif 000015
【図１４】
2004290434.tif 000016
【図１５】
2004290434.tif 000017
【図１６】
2004290434.tif 000018
【図１７】
2004290434.tif 000019
【図１８】
2004290434.tif 000020
【図１９】
2004290434.tif 000021
【図２０】
2004290434.tif 000022
【図２１】
2004290434.tif 000023
【図２２】
2004290434.tif 000024
【図２３】
2004290434.tif 000025